(57)【要約】【課題】強い電波によって負荷回路が誤動作してしまうことを防止すること。【解決手段】アンテナ４が強い不要電波を受信したときに所定電圧をダイオード検波器６で出力し、その所定電圧を取得したときに遮断回路３で負荷回路２とバッテリ３との間を遮断状態するようにした。【選択図】    図１
2005057322.tif 000002
【特許請求の範囲】
【請求項１】
強い電波を受信すると電源遮断信号を出力する遮断信号出力手段と、その電源遮断信号を取得すると負荷回路と電源との間を遮断状態とする遮断実行手段とを備えたことを特徴とする誤動作防止装置。
【請求項２】
前記遮断実行手段は、前記電源遮断信号を取得するとオン状態となる第１のスイッチと、その第１のスイッチがオン状態となると前記負荷回路と電源との間を遮断状態とする第２のスイッチとを備えたことを特徴とする請求項１に記載の誤動作防止装置。
【請求項３】
前記遮断信号出力手段は、強い電波を受信すると前記電源遮断信号として所定電圧信号を出力するダイオード検波器を含み、
前記遮断実行手段は、前記所定電圧信号がゲートに供給され且つエミッタが接地された第１のトランジスタと、その第１のトランジスタのコレクタにゲートが接続され、エミッタが前記負荷回路の電源端子に接続され且つコレクタが電源に接続された第２のトランジスタと、一端が前記第１のトランジスタのコレクタに接続され且つ他端が前記第２のトランジスタのコレクタに接続された抵抗器とを含み、
前記所定電圧信号は、前記第１のトランジスタをオン動作させる電圧値以上の電圧であることを特徴とする請求項１に記載の誤動作防止装置。
【請求項４】
前記遮断信号出力手段は、前記負荷回路に誤動作を生じさせる可能性のある特定周波数帯域の強い電波を受信しているときのみ電源遮断信号を出力することを特徴とする請求項１乃至請求項３のいずれかに記載の誤動作防止装置。
【請求項５】
前記請求項１乃至請求項４のいずれかに記載の誤動作防止装置を有する複数の負荷回路を備え、前記誤動作防止装置の遮断信号出力手段のそれぞれは、対応する前記負荷回路に誤動作を生じさせる可能性のある特定周波数帯域の強い電波を受信しているときのみ電源遮断信号を出力することを特徴とすることを特徴とする電子機器。
【発明の詳細な説明】
【０００１】
【発明の属する技術分野】
本発明は、強い不要電波、つまり外部の電子機器等で発生した電束密度の大きい電磁波によって負荷回路が誤動作することを防止する誤動作防止装置及び、その誤動作防止装置を利用した電子機器に関する。
【０００２】
【従来の技術】
従来、このような技術としては、負荷回路を銅等の導電材で取り囲み、その導電材に不要電波を表面で反射させ、不要電波によって負荷回路が誤動作することを防止する電磁波シールドがある（例えば、特許文献１参照）。
このような電磁波シールドでは、通常、負荷回路の使用環境で発生する可能性のある不要電波のうち最も強い不要電波を反射できるように導電材の厚さや大きさを設定するようになっている。
【０００３】
【特許文献１】
特開２００３−１７９５１５号公報
【０００４】
【発明が解決しようとする課題】
しかしながら、上記従来の技術にあっては、単に、負荷回路の使用環境で発生する可能性のある複数の不要電波のうち最も強い不要電波を反射できるように導電材の厚さ等を設定するようになっているため、より強い不要電波が発生し、その導電材で不要電波を反射しきれなくなると、不要電波によって負荷回路が誤動作してしまう恐れがあった。
【０００５】
そこで、本発明は、上記従来の技術の問題点に鑑みてなされたものであり、強い電波によって負荷回路が誤動作することを適切に防止できる誤動作防止装置及び、その誤動作防止装置を利用した電子機器を提供することを課題とする。
【０００６】
【課題を解決するための手段】
上記課題を解決するために、第１の発明である誤動作防止装置は、強い電波を受信すると電源遮断信号を出力する遮断信号出力手段と、その電源遮断信号を取得すると負荷回路と電源との間を遮断状態とする遮断実行手段とを備えたことを特徴とするものである。
【０００７】
また、第２の発明である誤動作防止装置は、前記電源遮断信号を取得するとオン状態となる第１のスイッチと、その第１のスイッチがオン状態となると前記負荷回路と電源との間を遮断状態とする第２のスイッチとを備えたことを特徴とするものである。
この第１及び第２の発明によれば、負荷回路を誤動作させるような強い電波が発生すると、負荷回路と電源との間が遮断状態とされ、負荷回路の動作が制限されるため、強い電波によって負荷回路が誤動作することを適切に防止することができる。
【０００８】
さらに、第３の発明によれば、前記遮断信号出力手段は、強い電波を受信すると前記電源遮断信号として所定電圧信号を出力するダイオード検波器を含み、前記遮断実行手段は、前記所定電圧信号がゲートに供給され且つエミッタが接地された第１のトランジスタと、その第１のトランジスタのコレクタにゲートが接続され、エミッタが前記負荷回路の電源端子に接続され且つコレクタが電源に接続された第２のトランジスタと、一端が前記第１のトランジスタのコレクタに接続され且つ他端が前記第２のトランジスタのコレクタに接続された抵抗器とを含み、前記所定電圧信号は、前記第１のトランジスタをオン動作させる電圧値以上の電圧であることを特徴とするものである。なお、このダイオード検波器で強い電波を受信する方法としては、負荷回路の近くに設けられて強い電波を受信するためのアンテナを用いる方法が挙げられる。
【０００９】
この第３の発明によれば、負荷回路を誤動作させるような強い電波が存在しないとすると、ダイオード検波器から所定電圧信号が出力されず、第１のトランジスタがオフ状態のままとなり、第２のトランジスタのゲートに電源電圧が供給され、第２のトランジスタがオン状態となり、その第２のトランジスタによって負荷回路と電源との間が導通状態とされる。
【００１０】
また、負荷回路と電源との間が導通状態であるときに、負荷回路を誤動作させるような強い電波が発生したとすると、ダイオード検波器から所定電圧信号が出力され、第１のトランジスタがオン状態となり、その第１のトランジスタを介して第２のトランジスタのゲートに接地電位が供給され、第２のトランジスタがオフ状態となり、負荷回路と電源との間が遮断状態とされる。
【００１１】
さらに、負荷回路と電源との間が遮断状態であるときに、負荷回路を誤動作させるような強い電波がなくなったとすると、ダイオード検波器からの所定電圧信号の出力が停止され、第１のトランジスタがオフ状態となり、第２のトランジスタのゲートに電源電圧が供給され、第２のトランジスタがオン状態となり、その第２のトランジスタによって負荷回路と電源との間が導通状態とされる。
【００１２】
また、第４の発明である誤動作防止装置は、前記遮断信号出力手段は、前記負荷回路に誤動作を生じさせる可能性のある特定周波数帯域の強い電波を受信しているときのみ電源遮断信号を出力することを特徴とするものである。
この第４の発明によれば、特定周波数帯域の強い電波が発生しているときには、負荷回路と電源との間が遮断状態とされ、負荷回路の動作が制限されるが、その特定周波数帯域以外の周波数帯域である非特定周波数帯域の強い電波のみが発生しているときには、負荷回路と電源との間が導通状態とされ、負荷回路の動作が継続されるため、強い電波があるたびに全体の動作が停止するという煩雑さを与えてしまうことを防止することができる。
【００１３】
また、第５の発明である電子機器は、前記第１の発明乃至第４の発明の誤動作防止装置を有する複数の負荷回路を備え、前記誤動作防止装置の遮断信号出力手段のそれぞれは、対応する前記負荷回路に誤動作を生じさせる可能性のある特定周波数帯域の強い電波を受信しているときのみ電源遮断信号を出力することを特徴とするものである。
【００１４】
この第５の発明によれば、特定の負荷回路にだけ誤動作を生じさせる可能性のある特定周波数帯域の強い電波が発生しているときには、その特定の負荷回路と電源との間だけが遮断状態とされて負荷回路の動作が制限され、他の負荷回路の動作は継続されるため、強い電波があるたびに全体の動作が停止してしまうという煩雑さを与えてしまうことを防止することができる。
【００１５】
【発明の実施の形態】
以下、本発明の誤動作防止装置の一実施形態を図面に基づいて説明する。
＜誤動作防止装置の構成＞
図１は、本実施形態の誤動作防止装置の概略構成図である。
この誤動作防止装置１は、図１に示すように、負荷回路２の近くに設けられて負荷回路２に誤動作を生じさせる可能性のある強い電波を受信するためのアンテナ４と、そのアンテナ４で負荷回路２に誤動作を生じさせる可能性がある強い電波が受信されると所定電圧を出力するダイオード検波器５と、そのダイオード検波器５から所定電圧が出力されると負荷回路２とバッテリ３との間を遮断状態とする遮断回路６とから構成されている。
【００１６】
これらのうちアンテナ４は、負荷回路２に誤動作を生じさせる可能性がある特定周波数帯域の電波だけを受信するような形状に構成されている。そして、その特定周波数帯域の電波を受信すると、図２（ａ）に示すように、その電波の強さに応じた大きさの交流電流を交流電流出力部から出力するようになっている。ここで、アンテナ４は、負荷回路２に誤動作を生じさせる可能性のある特定周波数の強い電波を受信すると、ダイオード検波器５の後述する第１のダイオード８にしきい値電圧より大きい電位が印加されるように所定の交流電流を出力するように設定されている。つまり、アンテナ４が受信している特定周波数帯域の電波の強さが徐々に大きくなっているときには、その電波の強さが負荷回路２に誤動作を生じさせる可能性のある強さに到達するよりも早いタイミング、つまりその強さよりも若干小さいしきい値強さとなったときに後述する第１のダイオード８のしきい値電圧に対応するしきい値電流を出力するようになっている。
【００１７】
また、ダイオード検波器５は、アンテナ４の交流電流出力部に一端が接続された第１のコンデンサ７と、その第１のコンデンサ７の他端にアノードが接続された第１のダイオード８と、その第１のダイオード８のアノードにカソードが接続され且つアノードが接地された第２のダイオード９と、前記第１のダイオード８のカソードに一端が接続され且つ他端が接地された第２のキャパシタ１０と、前記第１のダイオード８のカソードに一端が接続され且つ他端が接地された抵抗器１１とから構成されている。
【００１８】
そして、アンテナ４の交流電流出力部から交流電流が出力されると、図２（ｂ）に示すように、その交流電流の大きさが第１のダイオード８のしきい値電流より小さい場合には接地電位を第１のダイオード８のカソードから出力し、第１のダイオード８のしきい値電流以上である場合には、遮断回路６の後述する第１のトランジスタ１２のゲートしきい値電圧より大きい電位に交流電位が大きくなるほど大きい電位を加算した加算結果を出力するように設定されている。
【００１９】
さらに、遮断回路６は、ダイオード検波器５の第１のダイオード８のカソードにゲートが接続され且つエミッタが接地されたｎｐｎ型のバイポーラトランジスタ（以下、第１のトランジスタとも呼ぶ。）１２と、その第１のトランジスタ１２のコレクタにゲートが接続され、エミッタが負荷回路２の電源端子に接続され且つコレクタがバッテリ３に接続されたｎｐｎ型のバイポーラトランジスタ（以下、第２のトランジスタとも呼ぶ。）１３と、一端が第１のトランジスタ１２のコレクタに接続され且つ他端が前記第２のトランジスタ１３のコレクタに接続された抵抗器１４とから構成されている。
【００２０】
そして、ダイオード検波器５の第１のダイオード８から出力される電位が第１のトランジスタ１２のゲートしきい値電圧より小さいときには、図２（ｃ）（ｄ）にに示すように、第１のトランジスタ１２をオフ状態となり、第２のトランジスタ１３のゲートにバッテリ３の電源電圧を供給し、第２のトランジスタ１３がオン状態となって、その第２のトランジスタ１３で負荷回路２とバッテリ３との間を導通状態とするようになっている。
【００２１】
また、ダイオード検波器５の第１のダイオード８から出力される電位が第１のトランジスタ１２のゲートしきい値電以上であるときには、第１のトランジスタ１２がオン状態となり、その第１のトランジスタを介して第２のトランジスタ１３のゲートに接地電位を供給し、第２のトランジスタ１３がオフ状態となって、負荷回路２とバッテリ３との間を遮断状態とするようになっている。
【００２２】
次に、本実施形態の誤動作防止装置１の動作を説明する。
まず、負荷回路２を誤動作させる可能性のある特定周波数帯域の不要電波が負荷回路２の近くに存在しないとする。すると、図３の時刻ｔ１に示すように、アンテナ４からダイオード検波器５に出力される交流電流が０［Ａ］となり、そのダイオード検波器５の第１のダイオード８のカソードから接地電位が出力され、遮断回路６の第１のトランジスタのゲートが接地電位とされ、第１のトランジスタ１２がオフ状態となり、第２のトランジスタ１３のゲートにバッテリ３の電源電圧が供給され、第２のトランジスタ１３がオン状態となり、その第２のトランジスタ１２によって負荷回路２とバッテリ３との間が導通状態とされる。
【００２３】
また、その特定周波数帯域の不要電波が負荷回路２の近くに存在しない状態から所定時間が経過し、前記不要電波の発生源が負荷回路２に接近傾向となり、その特定周波数帯域の電波の強さが負荷回路２の近くでしきい値強さより小さい範囲で徐々に強くなりつつあるとする。すると、図３の時刻ｔ２に示すように、アンテナ４からダイオード検波器５に出力される交流電流が０［Ａ］より大きくなるものの、前記不要電波が存在しない場合と同様に、そのダイオード検波器５の第１のダイオード８のカソードから接地電位が出力されて、遮断回路６の第１のトランジスタのゲートが接地電位とされ、第１のトランジスタ１２がオフ状態のままとなり、第２のトランジスタ１３のゲートにバッテリ３の電源電圧が供給され、第２のトランジスタ１３がオン状態となり、その第２のトランジスタ１２によって負荷回路２とバッテリ３との間の導通状態が継続される。
【００２４】
また、前記不要電波の発生源が負荷回路２に十分に接近し、その特定周波数帯域の電波の強さが負荷回路２の近くでしきい値強さ以上となったとする。すると、図３の時刻ｔ３に示すように、アンテナ４からダイオード検波器５に出力される交流電流が大きくなり、そのダイオード検波器５の第１のダイオード８のカソードから第１のトランジスタ１２のゲートしきい値電圧が出力されて、遮断回路６の第１のトランジスタ１２のゲートが電源電圧とされ、第１のトランジスタ１２がオン状態となり、その第１のトランジスタ１２を介して第２のトランジスタ１３のゲートに接地電位が供給され、第２のトランジスタ１３がオフ状態となり、その第２のトランジスタ１２によって負荷回路２とバッテリ３との間が遮断状態とされる。
【００２５】
このように、本実施形態の誤動作防止装置１にあっては、負荷回路２を誤動作させる可能性のある特定周波数の強い不要電波より若干小さいしきい値強さの不要電波が負荷回路の近くで発生したときに、負荷回路２と電源との間を遮断状態とし、負荷回路２の動作を制限するようにしたため、強い不要電波によって負荷回路２が誤動作することが適切に防止される。なおその際、この誤動作防止装置１は、バッテリ３の電力を消費しないで動作できる。
【００２６】
さらに、前記不要電波の発生源が負荷回路２の近くを通り過ぎ負荷回路２から離れ、その特定周波数帯域の電波の強さが負荷回路２の近くでしきい値強さより小さくなったとする。すると、図３の時刻ｔ４に示すように、アンテナ４からダイオード検波器５に出力される交流電流が小さくなり、そのダイオード検波器５の第１のダイオード８のカソードから接地電位が出力されて、遮断回路６の第１のトランジスタ１２のゲートが接地電位とされ、第１のトランジスタ１２がオフ状態となり、その第１のトランジスタ１２を介して第２のトランジスタ１３のゲートにバッテリ３の電源電圧が供給され、第２のトランジスタ１３がオン状態となり、その第２のトランジスタ１２によって負荷回路２とバッテリ３との間が導通状態とされる。
【００２７】
一方、前記不要電波の発生源が負荷回路２に十分に接近したときに、特定周波数帯域以外の非特定周波数帯域の強さがしきい値強さより大きくなり、その特定周波数帯域の電波の強さが負荷回路２の近くでしきい値強さより小さくなったとする。すると、前記特定周波数帯域の電波の強さが負荷回路２の近くでしきい値強さより小さくなったときと同様に、アンテナ４からダイオード検波器５に出力される交流電流が小さくなり、そのダイオード検波器５の第１のダイオード８のカソードから接地電位が出力されて、遮断回路６の第１のトランジスタ１２のゲートが接地電位とされ、第１のトランジスタ１２がオフ状態となり、その第１のトランジスタ１２を介して第２のトランジスタ１３のゲートにバッテリ３の電源電圧が供給され、第２のトランジスタ１３がオン状態となり、その第２のトランジスタ１２によって負荷回路２とバッテリ３との間が導通状態とされる。
【００２８】
このように、本実施形態の誤動作防止装置１にあっては、特定周波数帯域の強い電波が発生しているときには、負荷回路２とバッテリ３との間が遮断状態とされ、負荷回路２の動作が制限されるが、非特定周波数帯域の強い電波のみが発生しているときには、負荷回路とバッテリ３との間が導通状態とされ、負荷回路２の動作が継続されるため、強い電波があるたびに全体の動作が停止するという煩雑さを与えてしまうことを防止することができる。
【００２９】
なお、上記実施形態では、アンテナ４、ダイオード検波器５、第１のコンデンサ７、第１のダイオード８、第２のダイオード９、第２のキャパシタ１０及び抵抗器１１が遮断信号出力手段を構成し、遮断回路６、第１のトランジスタ１２、第２のトランジスタ１４及び抵抗器１４が遮断実行手段を構成し、第１のトランジスタ１２が第１のスイッチを構成し、第２のトランジスタ１３及び抵抗器１４が第２のスイッチを構成する。
【００３０】
また、上記実施の形態は、誤動作防止装置の一例を示したものであり、その構成等を限定するものではない。
例えば、上記実施形態では、１つのバッテリ３に１つの負荷回路２だけを接続する例を示したが、これに限られるものではなく、例えば、複数の負荷回路を組み合わせて１つの電子機器を形成するときには、図４に示すように、誤動作防止装置１を介してバッテリ３に負荷回路２を接続すると共に、そのバッテリ３に他の負荷回路３を接続直接にするようにしてもよい。また、図５に示すように、誤動作防止装置１を有する複数の負荷回路２を設け、それらの誤動作防止装置１のダイオード検波器５のそれぞれに、対応する負荷回路２に誤動作を生じさせる可能性のある特定周波数帯域の強い電波を受信しているときのみゲートしきい値電圧以上の電位を出力させるようにしてもよい。
【００３１】
これらのうち、誤動作防止装置１を有する複数の負荷回路２を設ける方法によれば、図５に示すように、特定の負荷回路２にだけ誤動作を生じさせる可能性のある特定周波数帯域の強い電波が発生しているときには、その特定の負荷回路２とバッテリ３との間だけが遮断状態とされて動作が制限され、他の負荷回路２の動作は継続されるため、強い電波があるたびに全体の動作が停止してしまうという煩雑さを与えてしまうことを防止することができる。
【００３２】
また、誤動作防止装置１の遮断回路６を、バイポーラトランジスタ１２、１３を用いて形成する例を示したが、これに限られるものではなく、例えば、電界効果トランジスタを用いて形成するようにしてもよい。
【図面の簡単な説明】
【図１】本発明のメモリセルの一実施例を示す構成図である。
【図２】本発明の動作を説明するための説明図である。
【図３】本発明の動作を説明するための説明図である。
【図４】本発明の変形例を説明するための説明図である。
【図５】本発明の変形例を説明するための説明図である。
【符号の説明】
１は誤動作防止装置、２は負荷回路、３はバッテリ、４はアンテナ、５はダイオード検波器、６は遮断回路、７は第１のコンデンサ、８は第１のダイオード、９は第２のダイオード、１０は第２のキャパシタ、１１は抵抗器、１２は第１のトランジスタ、１３は第２のトランジスタ、１４は抵抗器
【図１】
2005057322.tif 000003
【図２】
2005057322.tif 000004
【図３】
2005057322.tif 000005
【図４】
2005057322.tif 000006
【図５】
2005057322.tif 000007